(57)【要約】【課題】タッチ操作入力と手書きペン操作入力の同時操作をしやすくし、利便性を向上させた電子機器を提供することが課題になっていた。【解決手段】実施形態の電子機器は、ペンデバイスから出力されたペンデバイスの情報を受信する受信部を備える。  また、自機器の向き情報と、前記ペンデバイスの情報を用い、前記自機器と前記ペンデバイスの相対的な傾きを算出する算出部を備える。  また、前記算出された相対的な傾きを用い、タッチパネルの一部にタッチ操作非検出部を設けるよう指示する指示部を備える。【選択図】  図１
2015022442.tif 000002
【特許請求の範囲】
【請求項１】
ペンデバイスから出力されたペンデバイスの情報を受信する受信部と、
自機器の向き情報と、前記ペンデバイスの情報を用い、前記自機器と前記ペンデバイスの相対的な傾きを算出する算出部と、
前記算出された相対的な傾きを用い、タッチパネルの一部にタッチ操作非検出部を設けるよう指示する指示部と、を備える電子機器。
【請求項２】
前記自機器の向き情報を検出可能な自機器情報検出部を備える、請求項１に記載の電子機器。
【請求項３】
前記ペンデバイスは前記ペンデバイスの情報を検出可能な検出部を備える、請求項１に記載の電子機器。
【請求項４】
前記タッチ操作非検出部は、予め設定されたサイズに設けられる、請求項１に記載の電子機器。
【請求項５】
前記タッチ操作非検出部は、略円形または略四角形のいずれかを一部に含む、請求項４に記載の電子機器。
【請求項６】
前記タッチ操作非検出部は、ペン先部とペン尾部の対角線を一部に含む、請求項１に記載の電子機器。
【請求項７】
前記タッチ操作非検出部は、識別可能に表示される、請求項１に記載の電子機器。
【請求項８】
前記タッチ操作非検出部のサイズは、前記相対的な傾きの変化に応じて切り替え可能に構成される、請求項１に記載の電子機器。
【請求項９】
ペンデバイスから出力されたペンデバイスの情報を受信するステップと、
自機器の向き情報と、前記ペンデバイスの情報を用い、前記自機器と前記ペンデバイスの相対的な傾きを算出するステップと、
前記算出された相対的な傾きを用い、タッチパネルの一部にタッチ操作非検出部を設けるよう指示するステップと、を備え、電子機器を制御する電子機器の制御方法。
【請求項１０】
ペンデバイスから出力されたペンデバイスの情報を受信するステップと、
自機器の向き情報と、前記ペンデバイスの情報を用い、前記自機器と前記ペンデバイスの相対的な傾きを算出するステップと、
前記算出された相対的な傾きを用い、タッチパネルの一部にタッチ操作非検出部を設けるよう指示するステップと、を備え、電子機器を制御する電子機器の制御プログラム。
【発明の詳細な説明】
【技術分野】
【０００１】
本発明の実施形態は、  電子機器、電子機器の制御方法、電子機器の制御プログラムに関する。
【背景技術】
【０００２】
近年、表示画面を兼ねたタッチパネル（入力部）を用い、マルチタッチ操作等のタッチ操作入力や、ペンデバイス（手書き入力ペン）によるペン操作入力等を行うことが可能な、例えば、タブレットやスマートフォン等の電子機器が普及している。
【０００３】
これらの電子機器には、タッチ操作入力と手書きペン操作入力のどちらも行うことが可能な電子機器もある。
【０００４】
しかし、例えば、ユーザがペンデバイス（手書き入力ペン）によるペン操作入力を行う際に、ペンを保持（ホールド）した手をタッチパネルに置くと、電子機器は、タッチ操作入力であると誤検出してしまうことがあり、問題になっていた。
【０００５】
この問題へ解決策として、例えば、ペン操作入力を行う際は、タッチ操作入力を検出しないようにする方法が考えられる。
【０００６】
しかし、これでは、例えば、ユーザが左手でタッチ操作入力を行いながら、右手で手書きペン操作入力を行うような、タッチ操作入力と手書きペン操作入力の同時操作入力がしにくくなり、不便であった。
【０００７】
このため、タッチ操作入力と手書きペン操作入力の同時操作をしやすくし、利便性を向上させた電子機器を提供することが課題になっていた。
【先行技術文献】
【特許文献】
【０００８】
【特許文献１】特開平１０−２４０４４２号公報
【発明の概要】
【発明が解決しようとする課題】
【０００９】
タッチ操作入力と手書きペン操作入力の同時操作をしやすくし、利便性を向上させた電子機器を提供することが課題になっていた。
【課題を解決するための手段】
【００１０】
実施形態の電子機器は、ペンデバイスから出力されたペンデバイスの情報を受信する受信部を備える。
【００１１】
また、自機器の向き情報と、前記ペンデバイスの情報を用い、前記自機器と前記ペンデバイスの相対的な傾きを算出する算出部を備える。
【００１２】
また、前記算出された相対的な傾きを用い、タッチパネルの一部にタッチ操作非検出部を設けるよう指示する指示部を備える。
【図面の簡単な説明】
【００１３】
【図１】実施形態に係わる電子機器の外観を示す図。
【図２】実施形態に係わる電子機器の入力部（タッチパネル）の構成の一例を示す図。
【図３】実施形態に係わる電子機器に手書き入力を行うことが可能なペンデバイス（手書き入力ペン）の構成の一例を示す図。
【図４】実施形態に係わる電子機器の構成の一例を示すブロック図。
【図５】実施形態に係わる電子機器において、ユーザがペンデバイス（手書き入力ペン）を用いて手書き入力を行う際に、タッチパネルの一部にタッチ操作非検出部が設けられるようすを示す図。
【図６】実施形態に係わる電子機器において、電子機器とペンデバイスの相対的な傾きを用い、タッチパネルの一部にタッチ操作非検出部を設けるようすを示す図。
【図７】実施形態に係わる電子機器において、タッチ操作非検出部が、ペン先部とペン尾部の対角線を一部に含むように設けられる他の例を示す図。
【図８】実施形態に係わる電子機器において、タッチ操作非検出部が、比較的小さく設けられる他の例を示す図。
【図９】実施形態に係わる電子機器において、タッチ操作非検出部を識別可能に表示する他の例を示す図。
【図１０】実施形態に係わる電子機器において、タッチ操作非検出部のサイズが、電子機器とペンデバイスの相対的な傾きの変化に応じて切り替え可能に構成される他の例を示す図。
【図１１】実施形態に係わる電子機器の動作を説明するフローチャート。
【発明を実施するための形態】
【００１４】
以下、図面を参照し、実施の形態を説明する。
【００１５】
図１は、実施形態に係わる電子機器の外観を示す図である。
【００１６】
この実施形態において、電子機器（タブレット）１０は、映像表示部を兼ねた検出部を構成するタッチパネル１７を備えている。
【００１７】
そして、電子機器（タブレット）１０は、タッチパネル１７に形成される入力部に対して、タッチ操作入力とペンデバイス（手書き入力ペン）によるペン操作入力を同時に行うことが可能である。
【００１８】
ユーザは、例えば、「ＡＢＣ」と記されたロゴ４０が手前となるように、電子機器（タブレット）１０を横長に配置し、ユーザの指１１を用いてタッチパネル１７に触れ、タッチ操作入力（マルチタッチ操作）を行うことが可能である。
【００１９】
また、ユーザは、例えば、ペンデバイス（手書き入力ペン）３０を用いてタッチパネル１７に触れ、同時に、ペンデバイス（手書き入力ペン）３０によるペン操作入力も行うことが可能である。
【００２０】
このとき、後述するように、ペンデバイス（手書き入力ペン）３０のホールド部３２に対向する位置の前記入力部（タッチパネル１７）の一部は、タッチ操作入力が非検出となるタッチ操作非検出部１２が設けられるように、例えば、ＣＰＵ１０１等によって制御される。
【００２１】
なお、ここでは、電子機器１０の一例としてタブレットを用いて説明を行うが、この実施形態においては、電子機器１０は、タブレットに限定されず、スマートフォンやテレビ等、他の電子機器にも適用することが可能である。
【００２２】
図２は、実施形態に係わる電子機器の入力部（タッチパネル）の構成の一例を示す図である。
【００２３】
この実施形態において、入力部（タッチパネル）１７は、ユーザのタッチ操作入力操作等を検出するタッチセンサ１７ａと、ペンデバイス（手書き入力ペン）３０のペン先部３１等の位置および入力ペン３０による入力操作を検出可能なデジタイザ１７ｂを備えている。
【００２４】
ここで、タッチセンサ１７ａは、例えば、静電容量方式のタッチパネルで構成される。
【００２５】
静電容量方式のタッチパネルは、例えば、表面型と投影型があるが、両者ともユーザの指先と導電膜の間での静電容量の変化を捉え、位置を検出する。
【００２６】
また、指がセンサ（タッチセンサ１７ａ）の表面に近づくだけで静電結合が起きる性質を活かし、接触する前にカーソルを表示するといった表現や操作も可能である。
【００２７】
一般に、表面型の静電容量方式のタッチパネルは、カバー、導電膜、ガラス基板の３層を構成し、導電膜はガラス基板に張り付けられ、ガラス基板の四隅には電極が設けられている。そして、この導電膜によって均一な電界が形成される。
【００２８】
そして、ユーザの指が表示画面に触れると、駆動回路からの微弱電流が隅の端子、導電膜、カバーをすり抜け、指を経由して、大地を含む周辺環境と駆動回路との間で閉回路を構成する。そして、駆動回路側で四隅の端子の電流量の比率を計測することでユーザの指の位置を検出できる。
【００２９】
また、投影型の静電容量方式のタッチパネルは、指先の多点検出が可能である。一般に、投影型は、絶縁体フィルムとその下の電極層、さらに制御ＩＣを搭載する基板層から構成される。
【００３０】
絶縁体フィルムの下の電極層には、ＩＴＯ（Ｉｎｄｉｕｍ Ｔｉｎ Ｏｘｉｄｅ）等の透明電極によって、縦横２層からなる多数のモザイク状電極パターンが、ガラスやプラスチックなどの基板上に配置される。
【００３１】
そして、ユーザの指が触れると、その付近の電極の静電容量の変化を、縦横２つの電極列から知ることで位置を精密に検出することができる。この縦と横に走る多数の電極列によって、多点検出が可能となる。
【００３２】
デジタイザ１７ｂは、例えば、電磁誘導方式を用い、ペンデバイス（手書き入力ペン）３０を用いた入力操作を検出する。
【００３３】
電磁誘導方式では、例えば、センサ部を液晶画面の下に配置し、ペン操作入力のタッチパネルを構成する。
【００３４】
また、この実施形態では、タッチパネル１７は、静電容量方式のタッチセンサ１７ａと電磁誘導方式のデジタイザ１７ｂを構成している。
【００３５】
これにより、入力ペン３０でも、ユーザの指先１１でも、操作が可能である。また、電子ペン（入力ペン３０）を使えば筆圧やサイドスイッチ等を検出できる。
【００３６】
すなわち、この方式では、静電タッチの視認性を犠牲にせず、通常は、ペン（入力ペン３０）入力が不可能な静電タッチ（タッチセンサ１７ａ）上で、高精細な電磁誘導ペンを使用することが可能である。
【００３７】
しかし、例えば、ユーザがペンデバイス（手書き入力ペン）３０によるペン操作入力を行う際に、ペン３０を保持（ホールド）した手（図示せず）をタッチパネル１７に置いてしまうと、電子機器１０は、タッチパネル１７に置かれた手をタッチ操作入力として検出してしまうことがあり、この実施形態においては、この問題を解決する（後述）。
【００３８】
図３は、実施形態に係わる電子機器に手書き入力を行うことが可能なペンデバイス（手書き入力ペン）の構成の一例を示す図である。
【００３９】
ペンデバイス（手書き入力ペン）３０は、ユーザの右手または左手でホールド（保持）され、タッチパネル１７に対してペン操作入力が行われる。
【００４０】
図３に示すように、この実施形態に係わるペンデバイス（手書き入力ペン）３０は、ユーザによりホールド（保持）される部分であるホールド部３２、タッチパネル１７に対するペン操作入力が意識され、いわゆるペン先に相当する部分であるペン先部３１を備えている。このペン先部３１は、例えば、手書き入力による「書く」モードで使用される。
【００４１】
ここでは、ペン先部３１は、実質的に、電磁コイル（第１コイル３１ａ）を内蔵している。そして、電子機器１０への入力動作中（「書く」モード）は、例えば、デジタイザ１７ｂから磁場を発生させ、ペンデバイス（手書き入力ペン）３０の先（ペン先部３１）についている電磁コイル（第１コイル３１ａ）がデジタイザ１７ｂに近づくと、電磁誘導の原理で磁界に変化が生じ、その変化を検出することで、ペンデバイス（手書き入力ペン）３０の位置を検出する。
【００４２】
また、この実施形態においては、ペンデバイス（手書き入力ペン）３０は、ホールド部３２を挟んで、ペン先部３１に対向する位置に、ペン尾部３３を備えている。
【００４３】
また、例えば、ホールド部３２には、ペンデバイス（手書き入力ペン）３０の傾き（傾き情報）を検出することが可能な傾き検出部３４、および、この傾き検出部３４で検出されたペンデバイス（手書き入力ペン）３０の傾き情報を電子機器１０に対して送信可能な傾き情報送信部３５を備えている。
【００４４】
この傾き検出部３４は、例えば、ジャイロセンサを、また、傾き情報送信部３５は、例えば、送信モジュールを備えている。
【００４５】
図４は、実施形態に係わる電子機器の構成の一例を示すブロック図である。
【００４６】
これらの構成の少なくとも一部は、例えば、電子機器（タブレット）１０内に電子部品として収容される。
【００４７】
この電子機器（タブレットＰＣ）１０は、ＣＰＵ（ｃｅｎｔｒａｌ ｐｒｏｃｅｓｓｉｎｇ ｕｎｉｔ）１０１、ノースブリッジ１０２、主メモリ１０３、サウスブリッジ１０４、ＧＰＵ（Ｇｒａｐｈｉｃｓ Ｐｒｏｃｅｓｓｉｎｇ Ｕｎｉｔ）１０５、ＶＲＡＭ（ビデオＲＡＭ:ｒａｎｄｏｍ ａｃｃｅｓｓ ｍｅｍｏｒｙ）１０５Ａ、サウンドコントローラ１０６、ＢＩＯＳ−ＲＯＭ（ｂａｓｉｃ ｉｎｐｕｔ／ｏｕｔｐｕｔ ｓｙｓｔｅｍ−ｒｅａｄ ｏｎｌｙ ｍｅｍｏｒｙ）１０７、ＬＡＮ（ｌｏｃａｌ ａｒｅａ ｎｅｔｗｏｒｋ）コントローラ１０８を備えている。
【００４８】
また、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（ｅｌｅｃｔｒｉｃａｌｌｙ ｅｒａｓａｂｌｅ ｐｒｏｇｒａｍｍａｂｌｅ ＲＯＭ）１１４等を備えている。
【００４９】
また、ＣＰＵ１０１は、電子機器（タブレットＰＣ）１０内の各部の動作を制御するプロセッサである。
【００５０】
ＣＰＵ１０１は、ＢＩＯＳ−ＲＯＭ１０７に格納されたＢＩＯＳを実行する。ＢＩＯＳは、ハードウェア制御のためのプログラムである。
【００５１】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、ＰＣＩ ＥＸＰＲＥＳＳ規格のシリアルバスなどを介してＧＰＵ１０５との通信を実行する機能も有している。
【００５２】
ＧＰＵ１０５は、電子機器（タブレットＰＣ）１０のディスプレイモニタとして使用される映像表示部（ＬＣＤ）１７を制御する表示コントローラである。
【００５３】
このＧＰＵ１０５によって生成される表示信号は映像表示部（ＬＣＤ）１７に送られる。また、ＧＰＵ１０５は、制御回路３および端子２を介して、外部ディスプレイ１にデジタル映像信号を送出することもできる。
【００５４】
端子２は、前述の外部ディスプレイ接続端子である。端子２は、非圧縮のデジタル映像信号とデジタルオーディオ信号とを１本のケーブルでテレビのような外部ディスプレイ１に送出することができる。
【００５５】
制御回路３は、モニタと称される外部ディスプレイ１にデジタル映像信号を、端子２を介して送出するためのインタフェースである。
【００５６】
サウスブリッジ１０４は、ＰＣＩ（Ｐｅｒｉｐｈｅｒａｌ Ｃｏｍｐｏｎｅｎｔ Ｉｎｔｅｒｃｏｎｎｅｃｔ）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００５７】
さらに、サウスブリッジ１０４は、サウンドコントローラ１０６との通信を実行する機能も有している。
【００５８】
サウンドコントローラ１０６は音源デバイスであり、再生対象のオーディオデータをスピーカ１８、または、制御回路３に出力する。
【００５９】
ＬＡＮコントローラ１０８は、例えばＩＥＥＥ ８０２．３規格の有線通信を実行する有線通信デバイスであり、一方、無線ＬＡＮコントローラ１１２は、例えばＩＥＥＥ  ８０２．１１ｇ規格の無線通信を実行する無線通信デバイスである。
【００６０】
ＵＳＢコントローラ１１１Ａは、（ＵＳＢコネクタ１９を介して接続される）例えばＵＳＢ ２．０規格に対応した外部機器との通信を実行する。
【００６１】
例えば、ＵＳＢコントローラ１１１Ａは、例えば、デジタルカメラに格納されている画像データファイルを受信するために使用される。
【００６２】
カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００６３】
ＥＣ１１３は、電力管理のためのエンベデッドコントローラである。
【００６４】
ＥＣ１１３は、ユーザによるパワーボタン１４の操作に応じて電子機器（タブレットＰＣ）１０を電源オン／電源オフする機能を有している。
【００６５】
この実施の形態における表示制御は、例えばＣＰＵ１０１が主メモリ１０３やＨＤＤ１０９等に記録されたプログラムを実行させることにより行われる。
【００６６】
また、この実施形態に係る電子機器（タブレットＰＣ）１０は、例えば、ペンデバイス（手書き入力ペン）３０に設けられた傾き情報送信部３５から送信されたペンデバイス（手書き入力ペン）３０の傾き情報を、受信する傾き情報受信部を備えている。
【００６７】
このペンデバイス（手書き入力ペン）３０の傾き情報は、電子機器１０内部で検出され、例えば、ＣＰＵ１０１によって、ペンデバイス（手書き入力ペン）３０のホールド部３２に対向する位置の入力部（タッチセンサ１７ａ）の一部は、タッチ操作入力が非検出（タッチ操作非検出部１２）となるように制御される。
【００６８】
また、この実施形態においては、電子機器（タブレット）１０は、自機器の向き（傾き）の情報を検出可能な自機器情報検出部（傾き検出部（例えば、ジャイロセンサ）１３６）を備えている。
【００６９】
すなわち、この実施形態において、電子機器（タブレット）１０は、ペンデバイス３０から出力された、ペンデバイスの情報を受信する受信部（ペンの傾き情報受信部１３５）を備えている。
【００７０】
また、自機器（電子機器（タブレット）１０）の向き情報と、前記ペンデバイスの情報を用い、前記自機器と前記ペンデバイスの相対的な傾きを算出する算出部（ＣＰＵ１０１）を備えている。
【００７１】
また、前記算出された相対的な傾きを用い、映像表示部（タッチパネル）１７の一部にタッチ操作非検出部１２を設ける。
【００７２】
これらの指示は、例えば、指示部（ＣＰＵ１０１）により行われる。
【００７３】
図５は、実施形態に係わる電子機器において、ユーザがペンデバイス（手書き入力ペン）を用いて手書き入力を行う際に、タッチパネルの一部にタッチ操作非検出部が設けられるようすを示す図である。
【００７４】
図５に示すように、この実施形態においては、例えば、ユーザに操作されたペンデバイス３０が、電子機器（タブレット）１０の映像表示部（タッチパネル）１７に、所定の距離以内に近づくと、電子機器（タブレット）１０とペンデバイス３０の相対的な傾きが算出される。
【００７５】
所定の距離は、ここでは、例えば、数センチメートル程度である。この所定の距離は、適宜、変更することが可能である。
【００７６】
そして、例えば、この算出された電子機器（タブレット）１０の映像表示部（タッチパネル）１７の相対的な傾きを用い、映像表示部（タッチパネル）１７の一部にタッチ操作非検出部１２が設けられる。
【００７７】
例えば、ここでは、図５の映像表示部（タッチパネル）１７の右側にタッチ操作非検出部１２が設けられる。
【００７８】
このタッチ操作非検出部１２は、ペンデバイス３０による入力は検出するが、ユーザのタッチ操作は検出しないように構成されている。
【００７９】
図６は、実施形態に係わる電子機器において、電子機器とペンデバイスの相対的な傾きを用い、タッチパネルの一部にタッチ操作非検出部を設けるようすを示す図である。
【００８０】
この実施形態においては、図６に示すように、例えば、ペンデバイス３０の相対的傾きから電子機器（タブレット）１０の面（タッチパネルの入力面）に対してペンデバイス３０の傾いている方向を求め、タッチ入力不可エリア１２を判断する。
【００８１】
ここで、ペンデバイス３０の相対的な傾きは、例えば、ペンデバイス３０の傾き（θ２）−電子機器（タブレット）１０の向き（θ１）として算出することが可能である。
【００８２】
図７は、実施形態に係わる電子機器において、タッチ操作非検出部が、ペン先部とペン尾部の対角線を一部に含むように設けられる他の例を示す図である。
【００８３】
図７に示すように、この例においては、ペン先部（起点）３１とペン尾部３３の対角線を、実質的に、一部に含むように、タッチ操作非検出部１２が設けられている。
【００８４】
ここでは、タッチ操作非検出部１２は、略四角形に構成され、なるべく、ユーザのタッチ操作の妨げにならないように、図５の例よりも小さめに、設けられている。
【００８５】
図８は、実施形態に係わる電子機器において、タッチ操作非検出部が、比較的小さく設けられる他の例を示す図である。
【００８６】
図８に示すように、この例においては、ペン先部（起点）３１とペン尾部３３の対角線を、実質的に、一部に含むように、タッチ操作非検出部１２が設けられている。
【００８７】
また、ここでは、タッチ操作非検出部１２は、丸みを帯びて構成され、なるべく、ユーザのタッチ操作の妨げにならないように、小さめに、設けられている。
【００８８】
図９は、実施形態に係わる電子機器において、タッチ操作非検出部を識別可能に表示する他の例を示す図である。
【００８９】
図９に示すように、この例においては、ペン先部（起点）３１とペン尾部３３の対角線を、実質的に、一部に含むように、タッチ操作非検出部１２が設けられている。
【００９０】
また、ここでは、タッチ操作非検出部（タッチ入力不可エリア）１２は、識別可能に表示され、ユーザがタッチ操作非検出部（タッチ入力不可エリア）１２を識別しやすいように構成されている。
【００９１】
このタッチ操作非検出部（タッチ入力不可エリア）１２は、ユーザが識別しやすいように、グレー表示や、表示画面に対して識別可能なように色を変える、ハイライト表示を行う等のように構成しても良い。
【００９２】
図１０は、実施形態に係わる電子機器において、タッチ操作非検出部のサイズが、電子機器とペンデバイスの相対的な傾きの変化に応じて切り替え可能に構成される他の例を示す図である。
【００９３】
例えば、図１０（ａ）は、ペンデバイス３０の相対的な傾きが「大きい」場合、言い換えれば、電子機器（タブレット）１０に対してペンデバイス３０が立っているような場合に、タッチ操作非検出部（タッチ入力不可エリア）１２を小さく構成し、例えば、円に近い形状にしている。
【００９４】
また、例えば、図１０（ｂ）は、ペンデバイス３０の相対的な傾きが「小さい」場合、言い換えれば、電子機器（タブレット）１０に対してペンデバイス３０が寝ているような場合に、タッチ操作非検出部（タッチ入力不可エリア）１２を大きく構成し、例えば、楕円に近い形状にしている。
【００９５】
このとき、電子機器とペンデバイスの相対的な傾きの変化は、例えば、１度単位、５度単位、１０度単位等、適宜設定し、変更することが可能である。
【００９６】
図１１は、実施形態に係わる電子機器の動作を説明するフローチャートである。
【００９７】
ステップＳ１００は、ここでの開始ステップである。続いて、ステップＳ１０１に進む。
【００９８】
ステップＳ１０は、電子機器（タブレット）１０の電源をＯＮにするステップである。続いて、ステップＳ１０２に進む。
【００９９】
ステップＳ１０２は、電子機器（タブレット）１０のタッチパネル１７に対するペンデバイス３０（ペン先部３１）の位置を検出するステップである。
【０１００】
例えば、デジタイザ１７ｂから発生する磁場を用い、ペン先部３１の内部、または、その近傍に設けられた第１コイル３１ａがタッチパネル１７に近づいたり、遠ざかったりした場合の磁場の変化を検出し、タッチパネル１７に対するペン先部３１（手書き入力ペン３０）の位置を検出する。
【０１０１】
続いて、ステップＳ１０３に進む。
【０１０２】
ステップＳ１０３は、ペンデバイス３０（ペン先部３１）はタッチパネル１７に近づいたか（例えば、ペンデバイス３０（ペン先部３１）とタッチパネル１７は所定の距離以内になったか）を検出するステップである。
【０１０３】
ペンデバイス３０（ペン先部３１）はタッチパネル１７に近づいたと検出される場合は、ステップＳ１０４に進む（Ｙｅｓ）。ペンデバイス３０（ペン先部３１）はタッチパネル１７に近づいたと検出されない場合は、ここでの処理を繰り返す（Ｎｏ）。
【０１０４】
ステップＳ１０４は、電子機器（タブレット）１０が、ペンデバイス３０の傾き検出部（ジャイロセンサ）３４で検出され、ペンデバイス３０から出力されたペンデバイス３０の情報（方向、傾き等）を受信するステップである。続いて、ステップＳ１０５に進む。
【０１０５】
ステップＳ１０５は、電子機器（タブレット）１０の傾き検出部（ジャイロセンサ）で、電子機器（タブレット）１０の向き（傾き）情報を検出するステップである。続いて、ステップＳ１０６に進む。
【０１０６】
ステップＳ１０６は、検出された電子機器（タブレット）１０の向き（傾き）情報と、受信したペンデバイス３０の情報（方向、傾き等）を用い、電子機器（タブレット）１０とペンデバイス３０の相対的な傾きを算出するステップである。続いて、ステップＳ１０７に進む。
【０１０７】
ステップＳ１０７は、電子機器（タブレット）１０のＣＰＵ１０１が、上記算出された電子機器（タブレット）１０に対するペンデバイス３０の相対的な傾きを用い、電子機器（タブレット）１０のタッチパネル１７の一部に、予め設定されたサイズや形状（略円形、楕円形、菱形、四角形等）のタッチ操作非検出部（タッチ入力不可エリア）１２を設けるよう指示するステップである。
【０１０８】
これらの情報は、例えば、予め、ＥＥＰＲＯＭ１１４に記憶されるように構成しても良い。
【０１０９】
また、このとき、タッチ操作非検出部（タッチ入力不可エリア）１２が、ペン先部３１とペン尾部３３が対角する線（対角線）を含むように構成しても良い。
【０１１０】
また、タッチ操作非検出部（タッチ入力不可エリア）１２は、識別可能となるように表示しても良い。
【０１１１】
続いて、ステップＳ１０８に進む。
【０１１２】
ステップＳ１０８は、終了ステップであり、ここでの処理は終了する。
【０１１３】
すなわち、タッチパネル１７へのユーザのタッチ操作入力とペンデバイス３０入力が併用可能な電子機器（タブレット等）１０において、例えば、ユーザがペンデバイス３０を使用するときに、タッチパネル１７に手の甲が触れてしまい、例えば、電子機器（タブレット等）１０は、ユーザのタッチ操作入力であると誤認識することがある。
【０１１４】
この実施形態においては、この誤認識を低減させることが可能である。
【０１１５】
すなわち、この実施形態においては、例えば、ペンデバイス３０にセンサ（傾き検出部（ジャイロ）３３）を搭載する。これにより、ペンデバイス３０の情報（ペン先部３１の方向、ペンデバイス２０の傾き等）を検出し、その情報を電子機器（タブレット）１０に送信する。
【０１１６】
そして、電子機器（タブレット）１０は、ペンデバイス３０の情報（ペン先部３１の方向、ペンデバイス２０の傾き等）と電子機器（タブレット）１０の方向、傾きから電子機器（タブレット）１０の面（タッチパネル１７）に対して、ペンデバイス３０がどの様に傾いているかを計算（相対的な傾き）する。
【０１１７】
そして、ペン先部３１を起点に、電子機器（タブレット）１０の面に対して傾いている方に位置する領域をタッチ操作非検出部（入力不可エリア）１２とする。
【０１１８】
このとき、例えば、このタッチ操作非検出部（入力不可エリア）１２以外は、タッチとペンの入力を同時に受けることが可能である。
【０１１９】
また、この実施形態においては、電子機器（タブレット）１０は、ペンデバイス３０のペン先部３１が電子機器（タブレット）１０に、所定距離以内に近づいた場合に、ペンデバイス３０から、ペンデバイス３０の状態情報（ペンデバイス３０の方向、ペンデバイス３０の傾き情報等）を受信するように構成しても良い。
【０１２０】
また、この実施形態においては、電子機器（タブレット）１０は、例えば、ペンデバイス３０の状態情報を受信していない場合には、タッチ操作非検出部（入力不可エリア）１２を設けないようにしても良い。
【０１２１】
また、この実施形態においては、電子機器（タブレット）１０は、タッチパネル１７上のペン先部３１とペンデバイス３０の傾く方向にある、タッチパネル１７の隅を結んだ対角線からなる、特定の形状によるエリアを、タッチ操作非検出部（入力不可エリア）１２とするように構成しても良い。
【０１２２】
また、この実施形態においては、電子機器（タブレット）１０は、電子機器（タブレット）１０が、タッチ操作非検出部（入力不可エリア）１２を決定した時に、モニタ上にタッチ操作非検出部（入力不可エリア）１２を表示できるように構成しても良い。
【０１２３】
また、この実施形態においては、電子機器（タブレット）１０は、電子機器（タブレット）１０の長さ、面（タッチパネル１７）からの傾きに応じて、タッチ操作非検出部（入力不可エリア）１２の範囲を動的に切り替えるように構成しても良い。
【０１２４】
その際に、傾きに応じた変化の度合いは、例えば、1度単位、５度単位、１０度単位等、適宜、任意に設定することが可能である。
【０１２５】
すなわち、この実施形態に係る電子機器においては、ペンデバイス３から出力されたペンデバイスの情報を受信する受信部（ペンの傾き情報受信部１３５）を備えている。
【０１２６】
また、自機器１０の向き情報と、前記ペンデバイスの情報を用い、前記自機器１０と前記ペンデバイス３０の相対的な傾きを算出する算出部（ＣＰＵ１０１）を備えている。
【０１２７】
また、前記算出された相対的な傾きを用い、タッチパネル１７の一部にタッチ操作非検出部１２を設けるよう指示する指示部（ＣＰＵ１０１）を備えている。
【０１２８】
また、前記自機器１０の向き情報を検出可能な自機器情報検出部（傾き検出部（ジャイロセンサ）１３６）を備えている。
【０１２９】
また、前記ペンデバイス３０は前記ペンデバイスの情報を検出可能な検出部（傾き検出部（ジャイロセンサ）３４）を備えている。
【０１３０】
また、前記タッチ操作非検出部１２は、予め設定されたサイズに設けられる。
【０１３１】
また、前記タッチ操作非検出部１２は、略円形または略四角形のいずれかを一部に含むように構成しても良い。
【０１３２】
また、前記タッチ操作非検出部１２は、ペン先部３１とペン尾部３３の対角線を一部に含むように構成しても良い。
【０１３３】
また、前記タッチ操作非検出部１２は、識別可能に表示されるように構成しても良い。  また、前記タッチ操作非検出部１２のサイズは、前記相対的な傾きの変化に応じて切り替え可能に構成されるように構成しても良い。
【０１３４】
上記のように構成することによって、この実施の形態においては、タッチ操作入力と手書きペン操作入力の同時操作をしやすくし、利便性を向上させた電子機器を提供することが可能になる
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１３５】
なお、上記実施形態は、記述そのものに限定されるものではなく、実施段階では、その趣旨を逸脱しない範囲で、構成要素を種々変形して具体化することが可能である。
【０１３６】
また、上記実施形態に開示されている複数の構成要素の適宜な組み合せにより種々の発明を形成できる。
【０１３７】
例えば、実施形態に示される全構成要素から幾つかの構成要素を削除してもよい。更に、異なる実施形態に亘る構成要素を適宜組み合せてもよい。
【符号の説明】
【０１３８】
１０…電子機器（タブレット）、１１…ユーザの指、１２…タッチ操作非検出部（タッチ入力不可エリア）、１７…映像表示部（タッチパネル）、３０…ペンデバイス（手書き入力ペン）。
【図１】
2015022442.tif 000003
【図２】
2015022442.tif 000004
【図３】
2015022442.tif 000005
【図４】
2015022442.tif 000006
【図５】
2015022442.tif 000007
【図６】
2015022442.tif 000008
【図７】
2015022442.tif 000009
【図８】
2015022442.tif 000010
【図９】
2015022442.tif 000011
【図１０】
2015022442.tif 000012
【図１１】
2015022442.tif 000013